(57)【特許請求の範囲】
【請求項１】
放送を受信する受信部と、
表示部と、
前記受信部が受信した放送から放送解像度を検出する解像度検出部と、
表示可能な表示解像度と前記放送解像度とに基づく表示制御指示を、前記受信部が受信した放送から検出する指示検出部と、
前記表示部の表示解像度と前記放送解像度とを比較し、比較した結果と前記指示検出部によって検出された前記表示制御指示とに基づいて、受信した映像の表示を制御して前記表示部に表示させる動作決定部と、
を備え、
前記表示制御指示は、
制御対象となる表示解像度に対する記述、又は、前記映像の表示に対する制御内容に関する記述のうち少なくとも１つを含む
受信装置。
【請求項２】
前記表示制御指示は、
ＡＲＩＢ規格において放送事業者が設定可能なメッセージ、テーブル、または記述子に記述されている請求項１に記載の受信装置。
【請求項３】
前記ＡＲＩＢ規格は、
ＡＲＩＢ  ＳＴＤ−６０規格である請求項２に記載の受信装置。
【請求項４】
前記制御対象となる表示解像度に対する記述は、
前記表示解像度と前記放送解像度との比に応じた記述であり、前記比の所定の範囲毎に、前記映像の表示に対する制御内容に関する記述が対応付けられている請求項１に記載の受信装置。
【請求項５】
前記映像の表示に対する制御内容に関する記述には、
前記映像の表示方法、または報知方法のうち少なくとも１つが記述されている請求項１に記載の受信装置。
【請求項６】
受信部が、放送を受信する受信手順と、
解像度検出部が、前記受信手順によって受信された放送から放送解像度を検出する解像度検出手順と、
指示検出部が、表示可能な表示解像度と前記放送解像度とに基づく表示制御指示を、前記受信手順によって受信された放送から検出する指示検出手順と、
動作決定部が、表示部の表示解像度と前記放送解像度とを比較し、比較した結果と前記指示検出手順によって検出された前記表示制御指示とに基づいて、受信した映像の表示を制御して前記表示部に表示させる動作決定手順と、
を含み、
制御対象となる表示解像度に対する記述、又は、前記映像の表示に対する制御内容に関する記述のうち少なくとも１つを含む
受信方法。
【請求項７】
受信装置が備えるコンピュータに、
放送を受信する受信手順と、
前記受信手順によって受信された放送から放送解像度を検出する解像度検出手順と、
表示可能な表示解像度と前記放送解像度とに基づく表示制御指示を、前記受信手順によって受信された放送から検出する指示検出手順と、
表示部の表示解像度と前記放送解像度とを比較し、比較した結果と前記指示検出手順によって検出された前記表示制御指示とに基づいて、受信した映像の表示を制御して前記表示部に表示させる動作決定手順と、
を実行させ、
制御対象となる表示解像度に対する記述、又は、前記映像の表示に対する制御内容に関する記述のうち少なくとも１つを含む
プログラム。
【発明の詳細な説明】
【技術分野】
【０００１】
本発明は、受信装置、受信方法、及びプログラムに関する。
【背景技術】
【０００２】
次世代テレビジョン放送サービスとして、４Ｋ（３８４０ｘ２１６０）超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ、以下、４Ｋ放送という）の試験放送が開始されている。さらに、８Ｋ（７６８０ｘ４３２０）超高解像度テレビジョン放送（以下、８Ｋ放送という）に関する研究開発が進められている。
このような４Ｋ・８Ｋ超高解像度テレビジョン放送において、伝送路符号化方式は、高度広帯域衛星デジタル放送方式（例えば、非特許文献１参照）を基本とすることが検討されている。また、４Ｋ・８Ｋ超高解像度テレビジョン放送において、多重化方式は、映像信号、音声信号等をＭＭＴ（ＭＰＥＧ  Ｍｅｄｉａ  Ｔｒａｎｓｐｏｒｔ）パケット化し、ＩＰ（Ｉｎｔｅｒｎｅｔ  Ｐｒｏｔｏｃｏｌ；インターネットプロトコル）パケットで伝送するＭＭＴ・ＴＬＶ（Ｔｙｐｅ  Ｌｅｎｇｔｈ  Ｖａｌｕｅ）多重化方式が検討されている（例えば、非特許文献２参照）。
【０００３】
また、デジタル放送において、有料放送が行われている。このような有料放送では、放送が暗号化して放送されている。そして有料放送では、例えば共通情報（ＥＣＭ：Ｅｎｔｉｔｌｅｍｅｎｔ  Ｃｏｎｔｒｏｌ  Ｍｅｓｓａｇｅ）によって暗号化されている。有料放送を視聴者が視聴するには、個人又は法人としての契約が必要である。そして、有料放送を視聴する場合、視聴者は、視聴契約時に、使用する受信装置を識別できる識別子（ＩＤ）を放送事業者へ連絡する。放送事業者は、受信装置に対して視聴許可を与えるために、放送波に受信許可を示す情報であるＥＭＭ（個別情報；Ｅｎｔｉｔｌｅｍｅｎｔ  Ｍａｎａｇｅｍｅｎｔ  Ｍｅｓｓａｇｅ）を多重化して視聴者の受信装置に向けて送信する。受信装置は、放送事業者が送信したＥＭＭを受信して受信機に記憶させる。そして、受信装置は、番組の受信時、受信した番組に対して視聴許可であるか否かを記憶させたＥＭＭに基づいて判別する。視聴許可である場合に、受信装置は、受信した番組を復号して表示装置に表示させる。一方、視聴許可でない場合に、受信機は、受信した番組を復号せずに暗号化によるスクランブルがかかったまま表示装置に表示させたり、有料契約が必要であることを示すメッセージ等を表示させていた。
さらに、有料放送では、例えばＨＤＴＶ（１４４０×１０８０）の解像度の放送を無料で配信し、４Ｋ放送等の高解像度放送を有料放送とするサービスが検討されている。このような放送に対する制御方法として、非特許文献３には、デジタル放送におけるアクセス制御方式の標準規格が記載されている。
【先行技術文献】
【非特許文献】
【０００４】
【非特許文献１】一般社団法人  電波産業会、”ＡＲＩＢ  ＳＴＤ−Ｂ４４  ２．０版  高度広帯域衛星デジタル放送の伝送方式  標準規格”、一般社団法人  電波産業会
【非特許文献２】一般社団法人  電波産業会、”ＡＲＩＢ  ＳＴＤ−Ｂ６０  １．１版  デジタル放送におけるＭＭＴによるメディアトランスポート方式  標準規格”、一般社団法人  電波産業会
【非特許文献３】一般社団法人  電波産業会、”ＡＲＩＢ  ＳＴＤ−Ｂ２５  ６．４版  デジタル放送におけるアクセス制御方式  標準規格”、一般社団法人  電波産業会
【発明の概要】
【発明が解決しようとする課題】
【０００５】
４Ｋ・８Ｋ超高解像度テレビジョン放送に対応した表示装置の普及には時間がかかる。このため、４Ｋ・８Ｋ超高解像度テレビジョン放送の普及のため、無料で４Ｋ・８Ｋ超高解像度テレビジョン放送が放送される可能性もある。また、４Ｋ・８Ｋ超高解像度テレビジョン放送の解像度より、受信装置の解像度の低い状態が、４Ｋ・８Ｋ超高解像度テレビジョン放送に対応した表示装置の普及まで発生する。
【０００６】
受信装置は、放送の解像度の方が受信装置で表示できる解像度より高い場合、放送の解像度を表示可能な解像度に下げるように変換（ダウンコンバートともいう）して表示させることも考えられる。
しかしながら、放送事業者側は、放送している番組を４Ｋまたは８Ｋの超高解像度で視聴者に視聴して欲しい場合がある。このような場合に受信装置がダウンコンバートして表示すると、放送授業者側は、コンテンツ本来の魅力を伝えられない。
【０００７】
本発明は上記の点に鑑みてなされたものであり、放送解像度より表示解像度が低い受信装置に対してコンテンツ本来の魅力を損ねた状態で視聴していることを示すことを受信装置に指示することができる受信装置、受信方法、及びプログラムを提供することを目的とする。
【課題を解決するための手段】
【０００８】
（１）本発明は上記の課題を解決するためになされたものであり、本発明の一態様の受信装置は、放送を受信する受信部と、表示部と、前記受信部が受信した放送から放送解像度を検出する解像度検出部と、表示可能な表示解像度と前記放送解像度とに基づく表示制御指示を、前記受信部が受信した放送から検出する指示検出部と、前記表示部の表示解像度と前記放送解像度とを比較し、比較した結果と前記指示検出部によって検出された前記表示制御指示とに基づいて、受信した映像の表示を制御して前記表示部に表示させる動作決定部と、を備え、前記表示制御指示は、制御対象となる表示解像度に対する記述、又は、前記映像の表示に対する制御内容に関する記述のうち少なくとも１つを含む。
【０００９】
（２）また、本発明の一態様の受信装置における受信方法は、受信部が、放送を受信する受信手順と、解像度検出部が、前記受信手順によって受信された放送から放送解像度を検出する解像度検出手順と、指示検出部が、表示可能な表示解像度と前記放送解像度とに基づく表示制御指示を、前記受信手順によって受信された放送から検出する指示検出手順と、動作決定部が、表示部の表示解像度と前記放送解像度とを比較し、比較した結果と前記指示検出手順によって検出された前記表示制御指示とに基づいて、受信した映像の表示を制御して前記表示部に表示させる動作決定手順と、を含み、制御対象となる表示解像度に対する記述、又は、前記映像の表示に対する制御内容に関する記述のうち少なくとも１つを含む。
【００１０】
（３）また、本発明の一態様のプログラムは、受信装置が備えるコンピュータに、放送を受信する受信手順と、前記受信手順によって受信された放送から放送解像度を検出する解像度検出手順と、表示可能な表示解像度と前記放送解像度とに基づく表示制御指示を、前記受信手順によって受信された放送から検出する指示検出手順と、表示部の表示解像度と前記放送解像度とを比較し、比較した結果と前記指示検出手順によって検出された前記表示制御指示とに基づいて、受信した映像の表示を制御して前記表示部に表示させる動作決定手順と、を実行させ、制御対象となる表示解像度に対する記述、又は、前記映像の表示に対する制御内容に関する記述のうち少なくとも１つを含む。
【発明の効果】
【００１１】
本発明によれば、放送解像度より表示解像度が低い受信装置に対してコンテンツ本来の魅力を損ねた状態で視聴していることを示すこと受信装置に指示することができる。
【図面の簡単な説明】
【００１２】
【図１】本実施形態に係るデジタル放送システムの構成を示すブロック図である。
【図２】本実施形態に係る送信装置の構成を示すブロック図である。
【図３】本実施形態に係る放送システムに用いるプロトコルスタックの構造の例について説明する図である。
【図４】本実施形態に係るＭＨ−イベント情報テーブルのデータ構造を説明する図である。
【図５】本実施形態に係る映像コンポーネント記述子の例を示す図である。
【図６】本実施形態に係る映像信号解像度に記述される情報の例を示す図である。
【図７】本実施形態に係る事業者が設定する解像度制御記述子のデータ構造を説明する図である。
【図８】本実施形態に係るターゲット解像度に記述される情報の例を示す図である。
【図９】本実施形態に係るターゲット動作に記述される情報の例を示す図である。
【図１０】本実施形態に係る全画面表示の例を示す図である。
【図１１】本実施形態に係るｄｏｔ  ｂｙ  ｄｏｔ表示の例を示す図である。
【図１２】本実施形態に係るコーションメッセージ＋全画面映像表示の例を示す図である。
【図１３】本実施形態に係るコーションメッセージのみの表示の例を示す図である。
【図１４】本実施形態に係る受信装置の構成を示すブロック図である。
【図１５】本実施形態に係る表示処理と報知処理の手順を示すフローチャートである。
【図１６】本実施形態に係るターゲット解像度が図８に示す情報であり、ターゲット動作が図９に示す情報である場合の表示処理と報知処理の手順を示すフローチャートである。
【発明を実施するための形態】
【００１３】
本実施形態について、図面を参照しながら説明する。なお、以下の説明においては、本発明のデジタル放送受信装置を、単に「受信装置」という。また、受信装置は、表示部を備えている。
図１は、本実施形態に係るデジタル放送システム１の構成を示すブロック図である。図１に示すように、デジタル放送システム１は、受信装置１０と、送信装置２０とを含んで構成されている。デジタル放送システム１において、受信装置１０と、送信装置２０との台数は、一般的にそれぞれ複数であるが、以下の説明においては、説明を容易にするため、受信装置１０と、送信装置２０との台数が、それぞれ１台であるデジタル放送システム１の場合について説明する。
【００１４】
また、以下の説明では、デジタル放送システム１におけるデジタル放送のメディアトランスポート方式として、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（一般社団法人  電波産業会））  ＳＴＤ−６０規格に記載のＭＭＴ（ＭＰＥＧ  Ｍｅｄｉａ  Ｔｒａｎｓｐｏｒｔ）方式（例えば非特許文献２参照）が採用されている場合について説明する。
【００１５】
送信装置２０は、番組データｉ１が多重化された放送波を送信する、例えば、放送局などの放送事業者に備えられた送信装置である。番組データｉ１は、少なくとも映像データおよび音声データの一方のデータが含まれる番組のコンテンツデータである。なお、以下の説明においては、番組データｉ１が、映像データおよび音声データの両方のデータを含む映像コンテンツであるものとして説明する。なお、番組データｉ１に含まれる映像データと音声データとのそれぞれは、予め定めた符号化方式で符号化されたデータである。例えば、映像データは、Ｈ．２６５、いわゆる、ＨＥＶＣ（Ｈｉｇｈ  Ｅｆｆｉｃｉｅｎｃｙ  Ｖｉｄｅｏ  Ｃｏｄｉｎｇ）などの符号化方式で符号化されたデータである。また、例えば、音声データは、ＩＳＯ／ＩＥＣ  １４４９６  Ｐａｒｔ３、いわゆる、ＭＰＥＧ−４オーディオなどの符号化方式で符号化されたデータである。
【００１６】
送信装置２０から送信された放送波は、地上波、ケーブルのような有線伝送路、または放送衛星を介して受信装置１０に伝送される。図１に示す例では、放送波が放送衛星３０を介して伝送される場合を示している。
【００１７】
受信装置１０は、放送衛星３０を介して伝送される種々の情報を受信するデジタル放送受信装置である。以下の説明では、受信装置１０が、テレビジョン受像機（テレビ、ＴＶ）であるものとして説明する。つまり、受信装置１０は、送信装置２０から送信された放送波を受信し、受信した放送波に含まれる映像コンテンツである番組データｉ１を、受信装置１０の解像度と番組データｉ１の解像度とに基づく放送波に含まれる表示制御指示（表示制御信号）に応じて表示部１０９（図１４参照）に表示する。なお、放送波に含まれる表示制御指示については、後述する。
【００１８】
＜送信装置２０の構成＞
次に、本実施形態に係る送信装置２０の構成について説明する。
図２は、本実施形態に係る送信装置２０の構成を示すブロック図である。図２に示すように、送信装置２０は、番組データ生成部２０１、構成情報生成部２０２、多重化部２０３、暗号化部２０４、及び送信部２０５を含んで構成される。
【００１９】
番組データ生成部２０１は、放送番組を構成する映像を示す映像データと、放送番組を構成する音声を示す音声データを取得する。
番組データ生成部２０１は、取得した映像データを所定の映像符号化方式で符号化する。所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。
また、番組データ生成部２０１は、取得した音声データを所定の映像符号化方式で符号化する。所定の音声符号化方式は、例えば、ＩＳＯ／ＩＥＣ  １４４９６  Ｐａｒｔ３（単に、ＭＰＥＧ−４オーディオとも呼ばれる。なお、ＭＰＥＧはＭｏｖｉｎｇ  Ｐｉｃｔｕｒｅ  Ｅｘｐｅｒｔｓ  Ｇｒｏｕｐを略したものである。）で規定された音声符号化方式である。
【００２０】
番組データ生成部２０１は、符号化した映像データと音声データとＭＭＴ−ＳＩ（ＭＭＴ−Ｓｙｓｔｅｍ  Ｉｎｆｏｒｍａｔｉｏｎ）から所定の形式の番組データを生成し、生成した番組データを多重化部２０３に出力する。また、ＭＭＴ−ＳＩには、後述する放送事業者が設定するメッセージとテーブルと記述子とを含む。なお、ＭＭＴ−ＳＩについては後述する。所定の形式の番組データは、例えば、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ、音声データ、及びＭＭＴ−ＳＩが含まれる。
【００２１】
構成情報生成部２０２は、放送番組や放送に伴って提供されるサービスを構成するための情報である構成要素情報を取得する。構成要素情報は、放送番組やサービスの構成要素であるアセット、つまり、映像、音声等のリストや、それらの諸要件を示す情報を含む。
例えば、上記の構成要素情報には、階層伝送方式による放送をする場合等、複数の放送映像を同時に送信する場合においては、各映像の解像度に関する情報や、各映像が表示される優先度に関する情報等も構成要素情報に含まれる。
構成情報生成部２０２は、取得した構成要素情報から所定の形式の構成情報を生成し、生成した構成情報を多重化部２０３に出力する。
【００２２】
多重化部２０３は、番組データ生成部２０１が出力した番組データ、及び構成情報生成部２０２が出力した構成情報を多重化して、所定の形式（例えば、ＴＬＶ（Ｔｙｐｅ  Ｌｅｎｇｔｈ  Ｖａｌｕｅ）パケット）の多重化データを生成する。多重化部２０３は、生成した多重化データを暗号化部２０４に出力する。
【００２３】
暗号化部２０４は、多重化部２０３が出力した多重化データを所定の暗号化方式（例えば、ＡＥＳ（Ａｄｖａｎｃｅｄ  Ｅｎｃｒｙｐｔｉｏｎ  Ｓｔａｎｄａｒｄ）やＭＵＬＴＩ２）を用いて暗号化する。暗号化部２０４は、暗号化した多重化データを送信部２０５に出力する。
【００２４】
送信部２０５は、暗号化部２０４が出力した多重化データを受信装置１０に放送伝送路である放送衛星３０を介して送信する。ここで、送信部２０５は、ベースバンド信号である多重化データで所定の搬送周波数を有する搬送波を変調させて、搬送周波数に対応したチャネル帯域の電波（放送波）をアンテナ（図示せず）により放射する。
【００２５】
＜ＭＭＴを用いるシステムのプロトコルスタックの構造の説明＞
次に、ＭＭＴを用いるシステムのプロトコルスタックの構造の例について説明する。
図３は、本実施形態に係る放送システムに用いるプロトコルスタックの構造の例について説明する図である。図３に示すように、放送システムに用いるプロトコルスタックは、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）、時刻情報、符号化された映像データ、符号化された音声データ、符号化された字幕データ、ＭＭＴ−ＳＩ、ＨＴＭＬ５規格で記述されたアプリケーション（単にアプリともいう）、ＥＰＧ（電子番組ガイド）、コンテンツダウンロードデータ等を含んで構成される。放送番組の映像信号及び音声信号の符号はＭＦＵ（Ｍｅｄｉａ  Ｆｒａｇｍｅｎｔ  Ｕｎｉｔ）／ＭＰＵである。そして、ＭＦＵ／ＭＰＵは、ＭＭＴＰペイロードに乗せて送信装置２０によってＭＭＴＰパケット化され、ＩＰパケットで送信装置２０によって伝送される。データコンテンツの伝送は、データが送信装置２０によってＭＭＴＰパケット化され、ＩＰパケットで送信装置２０によって伝送される。このように構成されたＩＰパケットは、放送伝送路を用いて放送される場合、ＴＬＶパケットの形式で送信装置２０によって伝送される。一つのＩＰパケットあるいは一つのヘッダー圧縮したＩＰパケットは、一つのＴＬＶパケットで送信装置２０によって伝送する（ＡＲＩＢ  ＳＴＤ−Ｂ３２及びＳＴＤ−Ｂ６０参照）。
【００２６】
さらに、放送システムに用いるプロトコルスタックでは、ＭＭＴ−ＳＩ、ＴＬＶ−ＳＩの２種類の制御情報が設けられている。ＭＭＴ−ＳＩとは、放送番組の構成などを示す制御情報である。ＭＭＴ−ＳＩでは、ＭＭＴの制御メッセージの形式とし、送信装置２０によってＭＭＴＰペイロードに乗せられてＭＭＴＰパケット化され、送信装置２０によってＩＰパケットで伝送される。ＴＬＶ−ＳＩとは、ＩＰパケットの多重に関する制御情報であり、選局のための情報やＩＰアドレスとサービスの対応情報を提供する。
【００２７】
また、ＴＭＣＣとは、伝送路上の信号の単位（スロット）ごとに変調方式やエラー訂正方式を指定する階層変調方式において、伝送フレームに挿入して伝送するこれらの制御情報である。ＨＥＶＣ（Ｈｉｇｈ  Ｅｆｆｉｃｉｅｎｃｙ  Ｖｉｄｅｏ  Ｃｏｄｉｎｇ）とは、映像信号の符号化の手法である。ＡＡＣ（Ａｄｖａｎｃｅｄ  Ａｕｄｉｏ  Ｃｏｄｉｎｇ）及びＡＬＳ（Ａｕｄｉｏ  Ｌｏｓｓｌｅｓｓ  Ｃｏｄｉｎｇ）とは、音声信号の符号化の手法である。ＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）とは、通信に使われるプロトコルの１つである。ＴＬＶ（ＴＹＰＥ  ＬＥＮＧＴＨ  ＶＡＬＵＥ）とは、データの多重化手法の１つである。ＴＬＶは、データの符号化をデータタイプ（Ｔｙｐｅ）、長さ（Ｌｅｎｇｔｈ）、値（Ｖａｌｕｅ）の３つで構成される。
【００２８】
＜ＭＭＴ−ＳＩの説明＞
次に、ＭＭＴ−ＳＩについて説明する。
ＭＭＴ−ＳＩには、メッセージ、テーブル、記述子が含まれている。
まずＭＭＴ−ＳＩのメッセージについて説明する。
メッセージには、Ｐａｃｋａｇｅ  Ａｃｃｅｓｓ（ＰＡ）メッセージ、Ｍ２セクションメッセージ、ＣＡメッセージ、Ｍ２短セクションメッセージ、データ伝送メッセージ、及び事業者が設定するメッセージが含まれる。
【００２９】
ＰＡメッセージは、ＭＭＴ−ＳＩのエントリーポイントとなり、ＭＭＴ−ＳＩのテーブルを伝送する制御情報である。なお、ＰＡメッセージの識別子（以下、メッセージＩＤともいう）には、０ｘ００００が割り当てられている。
Ｍ２セクションメッセージは、ＭＰＥＧ−２  Ｓｙｓｔｅｍｓのセクション拡張形式を伝送する制御情報である。なお、Ｍ２セクションメッセージには、メッセージＩＤとして０ｘ８０００が割り当てられている。
ＣＡメッセージは、限定受信方式に関する情報を伝送する制御情報である。なお、限定受信によって受信される放送とは、放送事業者と視聴者とが視聴契約を結ばないと受信装置１０で視聴できない放送である。なお、ＣＡメッセージには、メッセージＩＤとして０ｘ８００１が割り当てられている。
【００３０】
Ｍ２短セクションメッセージは、ＭＰＥＧ−２  Ｓｙｓｔｅｍｓのセクション短形式を伝送する制御情報である。なお、Ｍ２セクションメッセージには、メッセージＩＤとして０ｘ８００２が割り当てられている。
データ伝送メッセージは、データ伝送に関するテーブルを伝送する制御情報である。なお、データ伝送メッセージには、メッセージＩＤとして０ｘ８００３が割り当てられている。
事業者が設定するメッセージは、放送事業者が設定する制御情報である。なお、事業者が設定するメッセージには、メッセージＩＤとして０ｘＥ０００−０ｘＥＦＦＦ、及び０ｘＦ８００−０ｘＦＦＦＦが割り当てられている。
【００３１】
次に、ＭＭＴ−ＳＩのテーブルのうち、本実施形態で使用するテーブルについて説明する。
テーブルには、ＥＭＭ（Ｅｎｔｉｔｌｅｍｅｎｔ  Ｍａｎａｇｅｍｅｎｔ  Ｍｅｓｓａｇｅ）、ＣＡテーブル（ＭＨ）、ＭＨ−イベント情報テーブル（ＭＨ−Ｅｖｅｎｔ  Ｉｎｆｏｒｍａｔｉｏｎ  Ｔａｂｌｅ）、及び事業者が設定するテーブル等が含まれている。
【００３２】
ＥＣＭは、番組情報（番組に関する情報とデスクランブルのための鍵など）及び制御情報からなる共通情報を伝送する。なお、ＥＣＭには、テーブルＩＤとして０ｘ８２−０ｘ８３が割り当てられている。
ＥＭＭは、加入者毎の契約情報や共通情報の暗号を解くためのワーク鍵などを含む個別情報を伝送する。なお、ＥＭＭには、テーブルＩＤとして０ｘ８４−０ｘ８５が割り当てられている。
【００３３】
ＣＡテーブルは、限定受信方式に関する記述子を伝送する。なお、ＣＡテーブルには、テーブルＩＤとして０ｘ８６が割り当てられている。
ＭＨ−イベント情報テーブルは、番組の名称、放送日時、内容の説明など、番組に関する情報を伝送する。なお、ＭＨ−イベント情報テーブルには、テーブルＩＤとして０ｘ８Ｂ（自ストリームの現在と次の番組）と０ｘ８Ｃ−０ｘ９Ｂ（自ストリームのスケジュール）とが割り当てられている。
事業者が設定するテーブルは、放送事業者が登録した記述子を伝送する。なお、事業者が設定するテーブルには、テーブルＩＤとして０ｘＥ０−０ｘＦＦが割り当てられている。
【００３４】
次に、ＭＭＴ−ＳＩの記述子のうち、本実施形態で使用する記述子について説明する。
記述子として、アクセス制御記述子、映像コンポーネント記述子、事業者が設定する記述子等が規定されている。
アクセス制御記述子は、限定受信方式を識別する。なお、アクセス制御記述子には、記述子タグ値として０ｘ８００４が割り当てられている。限定受信方式とは、例えばスクランブルがかけられて送信される放送であり、視聴者が放送事業者と個別契約した場合に、ＥＭＭによってスクランブルが解除される放送である。
映像コンポーネント記述子は、番組要素信号のうち映像信号に関するパラメータ、説明などを記述する。なお、映像コンポーネント記述子には、記述子タグ値として０ｘ８０１０が割り当てられている。
事業者が設定する記述子は、放送事業者が設定する制御情報である。なお、事業者が設定する記述子には、記述子タグ値として０ｘＥＣ００−０ｘＥＦＦＦ（記述子長フィールドが８ビット）と０ｘＦＣ００−０ｘＦＦＦＦ（記述子長フィールドが１６ビット）とが割り当てられている。
【００３５】
＜ＭＨ−ＥＩＴのデータ構造の説明＞
次に、ＭＨ−イベント情報テーブル（以下、「ＭＨ−ＥＩＴ」という）およびこのＭＨ−ＥＩＴにおける記述子のデータ構造について説明する。
図４は、本実施形態に係るＭＨ−イベント情報テーブル（ＭＨ−ＥＩＴ）のデータ構造を説明する図である。ＭＨ−ＥＩＴ（ＭＨ−Ｅｖｅｎｔ＿Ｉｎｆｏｒｍａｔｉｏｎ＿Ｔａｂｌｅ（））は、送信装置２０から送信される放送波の構成の情報を表す構成要素の一つであり、放送される番組の名称、放送日時などの番組に関する情報を表している。図４に示したように、ＭＨ−ＥＩＴには、テーブル識別子（ｔａｂｌｅ＿ｉｄ）、セクションシンタクス指示（ｓｅｃｔｉｏｎ＿ｓｙｎｔａｘ＿ｉｎｄｉｃａｔｏｒ）、セクション長（ｓｅｃｔｉｏｎ＿ｌｅｎｇｔｈ）、サービス識別（ｓｅｒｖｉｃｅ＿ｉｄ）、バージョン番号（ｖｅｒｓｉｏｎ＿ｎｕｍｂｅｒ）、カレントネクスト指示（ｃｕｒｒｅｎｔ＿ｎｅｘｔ＿ｉｎｄｉｃａｔｏｒ）、セクション番号（ｓｅｃｔｉｏｎ＿ｎｕｍｂｅｒ）、最終セクション番号（ｌａｓｔ＿ｓｅｃｔｉｏｎ＿ｎｕｍｂｅｒ）、ＴＬＶストリーム識別（ｔｌｖ＿ｓｔｒｅａｍ＿ｉｄ）、オリジナルネットワーク識別（ｏｒｉｇｉｎａｌ＿ｎｅｔｗｏｒｋ＿ｉｄ）、セグメント最終セクション番号（ｓｅｇｍｅｎｔ＿ｌａｓｔ＿ｓｅｃｔｉｏｎ＿ｎｕｍｂｅｒ）、最終テーブル識別（ｌａｓｔ＿ｔａｂｌｅ＿ｉｄ）、イベント識別（ｅｖｅｎｔ＿ｉｄ）、開始時間（ｓｔａｒｔ＿ｔｉｍｅ）、継続時間（ｄｕｒａｔｉｏｎ）、進行状態（ｒｕｎｎｉｎｇ＿ｓｔａｔｕｓ）、スクランブル（ｆｒｅｅ＿ＣＡ＿ｍｏｄｅ）、記述子ループ長（ｄｅｓｃｒｉｐｔｏｒｓ＿ｌｏｏｐ＿ｌｅｎｇｔｈ）、ＣＲＣ（ＣＲＣ＿３２）を含んでいる。
なお、ＭＨ−イベント情報テーブルには、受信しているチャンネルについての現在放送されている番組に関する情報と、次に放送される番組に関する情報とが記述されている。
【００３６】
テーブル識別子には、各テーブルを識別するための情報が記述される。セクションシンタクス指示には、常に１が記述される。セクション長には、セクション長フィールドの直後からＣＲＣ（Ｃｙｃｌｉｃ  Ｒｅｄｕｎｄａｎｃｙ  Ｃｈｅｃｋ）を含むセクションの最後までのセクションのバイト数を規定する情報が記述される。サービス識別には、ＴＬＶストリーム内の他のサービスからこのサービスを識別するためのラベルの役割をする情報が記述される。バージョン番号には、サブテーブルのバージョン番号が記述される。カレントネクスト指示には、サブテーブルが現在のサブテーブルであることを示す情報、または、送られるサブテーブルがまだ適用されず、次のサブテーブルとして使用されることを示す情報が記述される。セクション番号には、セクションの番号を表す情報が記述される。ＴＬＶストリーム識別には、ＥＩＴが示すこのＴＬＶストリームをその分配システム内の他の多重から識別するラベルの役割をする情報が記述される。オリジナルネットワーク識別には、元の分配システムのネットワーク識別を規定するラベルの役割をする情報が記述される。セグメント最終セクション番号には、サブテーブルのこのセグメントの最後のセクションの番号を規定する情報が記述される。最終テーブル識別には、使用されている最終のテーブル識別する情報が記述される。イベント識別には、記載されているイベントの識別番号を示す情報が記述される。開始時間には、イベントの開始時間、すなわち放送番組の開始時間を日本標準時（ＪＳＴ）と修正ユリウス日で示す情報が記述される。継続時間には、イベントの継続時間、すなわち放送番組の放送時間長を時、分、秒で表す情報が記述される。進行状態には、イベントの状態を示す情報が記述される。スクランブルには、そのイベント内の全てのコンポーネントストリームがスクランブルされていないことを示す情報、または、一つ以上のストリームへのアクセスがＣＡ（Ｃｏｎｄｉｔｉｏｎａｌ  Ａｃｃｅｓｓ）システムにより制御されていることを示す情報が記述される。記述子ループ長には、後続の記述子の全バイト長を示す情報が記述される。ＣＲＣには、ＩＴＵ-Ｔ勧告Ｈ．２２２．０に従う情報が記述される。
【００３７】
＜映像コンポーネント記述子のデータ構造の説明＞
次に、映像コンポーネント記述子（Ｖｉｄｅｏ＿Ｃｏｍｐｏｎｅｎｔ＿Ｄｅｓｃｒｉｐｔｏｒ（））の例について説明する。
図５は、本実施形態に係る映像コンポーネント記述子の例を示す図である。図５に示す例では、映像コンポーネント記述子は、記述子タグ（ｄｅｓｃｒｉｐｔｏｒ＿ｔａｇ）、記述子長（ｄｅｓｃｒｉｐｔｏｒ＿ｌｅｎｇｔｈ）、映像信号解像度（ｖｉｄｅｏ＿ｒｅｓｏｌｕｔｉｏｎ）、映像信号アスペクト比（ｖｉｄｅｏ＿ａｓｐｅｃｔ＿ｒａｔｉｏ）、映像スキャンフラグ（ｖｉｄｅｏ＿ｓｃａｎ＿ｆｌａｇ）、映像信号フレームレート（ｖｉｄｅｏ＿ｆｒａｍｅ＿ｒａｔｅ）、コンポーネントタグ（ｃｏｍｐｏｎｅｎｔ＿ｔａｇ）、言語コード（ＩＳＯ＿６３９＿ｌａｎｇｕａｇｅ＿ｃｏｄｅ）を含む。
【００３８】
図５において、記述子タグには、各記述子を識別するための情報が記述される。記述子長には、このフィールドより後に続くデータバイト数が記述される。映像信号解像度（ｖｉｄｅｏ＿ｒｅｓｏｌｕｔｉｏｎ）は、映像信号の垂直方向の解像度が記述され、図６に従って符号化される。
図６は、本実施形態に係る映像信号解像度に記述される情報の例を示す図である。図６に示す例において、映像信号解像度の値が５の場合が、２Ｋ放送の空間解像度（１０８０（１１２５））を意味し、映像信号解像度の値が６の場合が、４Ｋ放送の空間解像度（２１６０）を意味し、映像信号解像度の値が７の場合が、８Ｋ放送の空間解像度（４３２０）を意味する。
【００３９】
図５に戻って、映像信号アスペクト比（ｖｉｄｅｏ＿ａｓｐｅｃｔ＿ｒａｔｉｏ）には、映像信号のアスペクト比が記述される。
映像スキャンフラグ（ｖｉｄｅｏ＿ｓｃａｎ＿ｆｌａｇ）には、映像信号がインターレース信号であるか、プログレッシブ信号であるかを示すフラグが記述される。映像信号フレームレートには、映像信号のフレームレートが記述される。コンポーネントタグ（ｃｏｍｐｏｎｅｔ＿ｔａｇ）には、コンポーネントストリームを識別するためのラベルが記述される。
言語コード（ＩＳＯ＿６３９＿ｌａｎｇｕａｇｅ＿ｃｏｄｅ）には、コンポーネント（音声、あるいはデータ）の言語及びこの記述子に含まれる文字記述の言語を識別するための情報が記述される。
【００４０】
＜事業者が設定する記述子のデータ構造の説明＞
次に、事業者が設定する記述子である解像度制御（Ｒｅｓｏｌｕｔｉｏｎ＿ｃｏｎｔｒｏｌ）記述子について説明する。なお、事業者が設定する記述子である解像度制御記述子は、前述したＭＭＴ−ＳＩにおいて、事業者が設定するメッセージの事業者が設定するテーブルに記述されている。
図７は、本実施形態に係る事業者が設定する解像度制御記述子のデータ構造を説明する図である。なお、図７に示す例は、メッセージＩＤを０ｘＦＤ００、テーブルＩＤを０ｘＦ０、記述子名を“Ｒｅｓｏｌｉｔｉｏｎ＿ｃｏｎｔｒｏｌ（解像度制御）”、記述子タグを０ｘＦＥ００と定義したときの例である。メッセージＩＤ、テーブルＩＤ、記述子名、及び記述子タグは、これに限られない。
【００４１】
図７に示す例では、事業者が設定する解像度制御（Ｒｅｓｏｌｕｔｉｏｎ＿ｃｏｎｔｒｏｌ（））記述子は、記述子タグ（ｄｅｓｃｒｉｐｔｏｒ＿ｔａｇ）、記述子長（ｄｅｓｃｒｉｐｔｏｒ＿ｌｅｎｇｔｈ）、ターゲット解像度（Ｔａｒｇｅｔ＿ｒｅｓｏｌｕｔｉｏｎ）、ターゲット動作（Ｔａｒｇｅｔ＿ａｃｔｉｏｎ）を含む。
【００４２】
ターゲット解像度（Ｔａｒｇｅｔ＿ｒｅｓｏｌｕｔｉｏｎ）には、記述子の対象としている表示解像度対象に関する情報が、図８に示すように記述される。図８は、本実施形態に係るターゲット解像度（Ｔａｒｇｅｔ＿ｒｅｓｏｌｕｔｉｏｎ）に記述される情報の例を示す図である。なお、図８において、Ｒは、受信装置１０が備える表示部１０９（図１４参照）で表示可能な解像度（以下、表示解像度という）を放送されている番組の解像度（以下、放送解像度という）で除算した値である。
【００４３】
図８に示す例において、ターゲット解像度の値が０ｘ４０は、Ｒが４より大きい場合を表し、ターゲット解像度の値が０ｘ２０は、Ｒが２より大きく且つ４以下の場合を表し、ターゲット解像度の値が０ｘ１０は、Ｒが０．５より大きく且つ２以下の場合を表す。また、ターゲット解像度の値が０ｘ０８は、Ｒが０．２５より大きく且つ０．５以下の場合を表し、ターゲット解像度の値が０ｘ０４は、Ｒが０．２５以下の場合を表し、ターゲット解像度の値が０ｘ００は、将来のためリザーブされていることを表す。すなわち、ターゲット解像度の値それぞれは、Ｒの範囲に対応している。
一例として、受信装置１０が、４Ｋ（３８４０ｘ２１６０）超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ、以下、４Ｋ放送という）を表示でき、放送されている番組が８Ｋ（７６８０ｘ４３２０）超高解像度テレビジョン放送（以下、８Ｋ放送という）である場合、Ｒは０．５（＝３８４０／７６８０、または２１６０／４３２０）である。
【００４４】
図７に戻って、ターゲット動作（Ｔａｒｇｅｔ＿ａｃｔｉｏｎ）には、対象としているものに対する動作が、図９に示すように記述される。図９は、本実施形態に係るターゲット動作（Ｔａｒｇｅｔ＿ａｃｔｉｏｎ）に記述される情報の例を示す図である。
図９に示す例において、ターゲット動作の値が０ｘ００は、受信した映像信号を表示部１０９（図１４参照）の全画面に表示（以下、全画面表示という）させる動作を表し、ターゲット動作の値が０ｘ０１は、受信した映像信号の解像度を変換せずに表示部１０９の一部に表示（以下、ｄｏｔ  ｂｙ  ｄｏｔ（ドットバイドット）表示という）させる動作を表している。また、ターゲット動作の値が０ｘ０２は、受信した映像信号を表示部の全画面に表示させ、且つ受信装置１０では受信している映像信号を表示できないことを示すコーションメッセージを表示（以下、コーションメッセージ＋全画面映像表示ともいう）させる動作を表している。また、ターゲット動作の値が０ｘ０３は、受信した映像信号を表示に表示させず、受信装置１０では受信している映像信号を表示できないことを示すコーションメッセージのみを表示させる動作を表している。すなわち、ターゲット動作の値それぞれは、表示部１０９に表示させる映像データに対する動作に対応している。
【００４５】
＜表示部上の表示例の説明＞
次に、各ターゲット動作の指示によって表示部上に表示される画像の一例を説明する。
図１０は、本実施形態に係る全画面表示の例を示す図である。図１０に示すように、全画面表示では、表示部１０９（図１４参照）の全画面に画像ｇ１０１が表示される。
図１０に示すような表示は、ターゲット動作の値が０ｘ００の場合に行われる。全画面表示が放送事業者によって設定されるのは、例えば放送解像度と表示解像度とが一致するターゲット解像度の値が０ｘ１０の場合である。なお、受信装置１０の解像度と一致していなくても、放送している映像信号をダウンコンバートまたはアップコンバートして表示することを放送事業者が許可する場合、放送事業者は、ターゲット解像度の値を、どの値に設定してもよく、またはデフォルト値として０ｘ０８を設定するようにしてもよい。すなわち、全画面表示される画像ｇ１０１は、解像度が変換されていない状態の画像、解像度がアップコンバートされている状態の画像、または解像度がダウンコンバートされている状態の画像のうちの、いずれか１つの状態の画像である。
【００４６】
図１１は、本実施形態に係るｄｏｔ  ｂｙ  ｄｏｔ表示の例を示す図である。図１１に示すように、ｄｏｔ  ｂｙ  ｄｏｔ表示では、表示部１０９の画面の一部、例えば中心に画像ｇ１１１が表示され、残りの表示領域には、例えば黒画像ｇ１１２が表示される。なお、表示される位置は中心に限られず、例えば左上、右上、左下、または右下等であってもよい。
図１１に示すような表示は、ターゲット動作の値が０ｘ０１の場合に行われる。ｄｏｔ  ｂｙ  ｄｏｔ表示が放送事業者によって設定されるのは、例えばターゲット解像度の値が０ｘ２０の場合である。ｄｏｔ  ｂｙ  ｄｏｔ表示される画像ｇ１１１は、解像度が変換されていない状態の画像である。
【００４７】
図１２は、本実施形態に係るコーションメッセージ＋全画面映像表示の例を示す図である。図１２に示すように、コーションメッセージ＋全画面映像表示では、表示部１０９の全画面に画像ｇ１２１が表示され、且つ画像ｇ１２１の上にコーションメッセージの画像ｇ１２２が重ねられて表示される。図１２に示す例におけるコーションメッセージの画像ｇ１２２には、例えば「ご試聴のテレビでは、コンテンツの持つ本来の魅力を十分表現できていない可能性があります。」を含む。なお、表示されるコーションメッセージの画像ｇ１２２は一例であり、これに限られない。例えばアップコンバートした画像であることを示すメッセージ、ダウンコンバートした画像であることを示すメッセージであってもよい。なお、画像ｇ１２１は、解像度がアップコンバートされている状態の画像、または解像度がダウンコンバートされている状態の画像のうちの、いずれか１つの状態の画像である。
【００４８】
図１３は、本実施形態に係るコーションメッセージのみの表示の例を示す図である。図１３に示すように、コーションメッセージのみの表示では、表示部１０９の画面の一部にコーションメッセージの画像ｇ１３１が表示され、残りの表示領域には、例えば黒画像ｇ１３２が表示される。図１３に示す例におけるコーションメッセージの画像ｇ１３１には、例えば「ご試聴のテレビでは、コンテンツの持つ本来の魅力を十分表現できていないため、視聴が許可されていません。」を含む。なお、表示されるコーションメッセージの画像ｇ１３１は一例であり、これに限られない。表示解像度と放送解像度とが異なるため視聴が許可されていないことを示すメッセージであってもよい。
【００４９】
以下に、記述される情報と、受信装置１０の解像度との具体的な例を説明する。
例えば、（表示解像度／放送解像度）≦１／２の受信装置１０に対して表示を禁止する場合、放送事業者は、解像度制御（Ｒｅｓｏｌｕｔｉｏｎ＿ｃｏｎｔｒｏｌ）記述子を以下のように記述して送信する。ｉ＝０：Ｔａｒｇｅｔ＿ｒｅｓｏｌｕｔｉｏｎ＝０ｘ０８、Ｔａｒｇｅｔ＿ａｃｔｉｏｎ＝０ｘ０３、この場合はＲ≦１／２であるから、コーションメッセージのみの表示となる。ｉ＝１：Ｔａｒｇｅｔ＿ｒｅｓｏｌｕｔｉｏｎ＝０ｘ１０、Ｔａｒｇｅｔ＿ａｃｔｉｏｎ＝０ｘ００、この場合はＲ≦１／２ではないから、全画面表示となる。ｉ＝２：Ｔａｒｇｅｔ＿ｒｅｓｏｌｕｔｉｏｎ＝０ｘ０４、Ｔａｒｇｅｔ＿ａｃｔｉｏｎ＝０ｘ０３、この場合はＲ≦１／２であるから、コーションメッセージのみの表示となる。
これにより、受信装置１０は、図１３に示したように「ご視聴のテレビでは、コンテンツの持つ本来の魅力を十分表現できていないため、視聴が許可されていません。」などのコーションメッセージを、放送事業者からの放送波に含まれる指示に基づいて表示部１０９に表示して報知することができる。
この結果、放送事業者は、例えば、（表示解像度／放送解像度）≦１／２の受信装置１０に対して「ご視聴のテレビでは、コンテンツの持つ本来の魅力を十分表現できていないため、視聴が許可されていません。」などのコーションメッセージを受信装置１０の表示部１０９に表示させることができる。
【００５０】
また、（表示解像度／放送解像度）≦１／４の受信装置１０に対しては映像表示自体をさせたくない場合、放送事業者は、解像度制御（Ｒｅｓｏｌｕｔｉｏｎ＿ｃｏｎｔｒｏｌ）記述子を以下のように記述して送信する。ｉ＝０：Ｔａｒｇｅｔ＿ｒｅｓｏｌｕｔｉｏｎ＝０ｘ０８、Ｔａｒｇｅｔ＿ａｃｔｉｏｎ＝０ｘ０２、この場合はＲ≦１／４ではないから、コーションメッセージ表示と全画面映像表示となる。ｉ＝１：Ｔａｒｇｅｔ＿ｒｅｓｏｌｕｔｉｏｎ＝０ｘ０４、Ｔａｒｇｅｔ＿ａｃｔｉｏｎ＝０ｘ０３、この場合はＲ≦１／４であるから、コーションメッセージのみの表示となる。ｉ＝２：Ｔａｒｇｅｔ＿ｒｅｓｏｌｕｔｉｏｎ＝０ｘ１０、Ｔａｒｇｅｔ＿ａｃｔｉｏｎ＝０ｘ００、この場合はＲ≦１／４ではないから、全画面表示となる。なお、コーションメッセージは、受信装置１０があらかじめ共通で持っているものとしてもよいし、記述子の定義にテキスト部を加え、送信されたものを表示するものとしてもよい。
【００５１】
また、表示解像度に比べ、放送解像度が低い場合、放送事業者は、アップコンバートすることで映像の粗さが目立つのを防止するために、アップコンバートを制限することも可能である。例えば、（表示解像度／放送解像度）≦２の受信装置１０に対しては全画面表示を許可し、（表示解像度／放送解像度）＞２の受信装置１０に対してはアップコンバートを許可せず画面中央にｄｏｔ  ｂｙ  ｄｏｔ表示させる場合、放送事業者は、解像度制御（Ｒｅｓｏｌｕｔｉｏｎ＿ｃｏｎｔｒｏｌ）記述子を以下のように記述して送信する。ｉ＝０：Ｔａｒｇｅｔ＿ｒｅｓｏｌｕｔｉｏｎ＝０ｘ４０、Ｔａｒｇｅｔ＿ａｃｔｉｏｎ＝０ｘ０１、この場合はＲ＞２であるため、ｄｏｔ  ｂｙ  ｄｏｔ表示となる。ｉ＝１：Ｔａｒｇｅｔ＿ｒｅｓｏｌｕｔｉｏｎ＝０ｘ１０、Ｔａｒｇｅｔ＿ａｃｔｉｏｎ＝０ｘ００、この場合はＲ≦２であるため、全画面表示となる。
【００５２】
なお、上述した例においてターゲット解像度の値を記載の通りに定義したが、異なる値に定義することも可能でありこの定義に限定されない。さらに、（表示解像度／放送解像度）の上限、下限値を１つの変数で定義したが、上限値、下限値をＴａｒｇｅｔ＿ｒｅｓｏｌｕｔｉｏｎ（ＭＡＸ）、  Ｔａｒｇｅｔ＿ｒｅｓｏｌｕｔｉｏｎ（ＭＩＮ）を数値で直接それぞれ送るような構造体として定義してもかまわない。
また、ターゲット動作についても、動作は例示であり、字幕スーパーなどによって放送解像度を常時流しておき、ターゲット解像度で該当するものに、字幕スーパーの表示を止めるようなターゲット動作を指示するようにしてもよい。
【００５３】
＜受信装置１０の構成の説明＞
次に、本実施形態に係る受信装置１０の構成について説明する。
図１４は、本実施形態に係る受信装置１０の構成を示すブロック図である。図１４に示すように、受信装置１０は、放送受信部１０１、復調部１０２、分離部１０３、音声復号部１０４、音声再生部１０５、映像復号部１０６、画像変換部１０７、画像合成部１０８、表示部１０９、制御部１１０、記憶部１２０、操作部１３０を備える。
【００５４】
放送受信部１０１は、送信装置２０が送信した放送波を、放送衛星３０を介して受信する。放送受信部１０１は、操作部１３０が出力した操作結果に基づいて、制御部１１０が出力した放送チャンネル信号で指定される放送チャンネルに応じた放送チャンネル帯域を特定する。放送受信部１０１は、放送波として受信した放送チャンネル帯域の受信信号をベースバンド信号である多重化データに変換する。放送受信部１０１は、変換した多重化データを復調部１０２に出力する。
【００５５】
復調部１０２は、放送受信部１０１が出力した多重化データを送信装置２０の変調方式に応じた復調方式によって復調し、復調した多重化データを分離部１０３に出力する。なお、復調部１０２は、復調後または復調時に誤り訂正を行う。
【００５６】
分離部１０３は、復調部１０２が出力した復調後の多重化データから番組データ及び構成情報に分離する。分離部１０３は、構成情報を制御部１１０に出力する。また、分離部１０３は、番組データから音声データと映像データとＭＭＴ−ＳＩとを抽出する。分離部１０３は、抽出した音声データを音声復号部１０４に出力し、映像データを映像復号部１０６に出力する。また、分離部１０３は、抽出したＭＭＴ−ＳＩを制御部１１０に出力する。
【００５７】
音声復号部１０４には、分離部１０３から音声データが入力される。入力された音声データは、所定の音声符号化方式（例えば、ＭＰＥＧ−４  オーディオ）で符号化されたデータである。音声復号部１０４は、符号化に用いられた符号化方式と対応する復号方式で入力された音声データを復号する。なお、復号した音声データは、各時刻における音声のレベルを示すデータである。音声復号部１０４は、復号した音声データを生成し、生成した音声データを音声再生部１０５に出力する。
音声再生部１０５は、音声復号部１０４が出力した音声データに基づく音声を再生するものであり、例えば、スピーカーを含んで構成される。
【００５８】
映像復号部１０６には、分離部１０３から映像データが入力される。入力された映像データは、所定の映像符号化方式（例えば、ＨＥＶＣ、ＭＰＥＧ−２  ビデオ）で符号化されたデータである。映像復号部１０６は、符号化に用いられた符号化方式と対応する復号方式で入力された映像データを復号し、復号した映像データを生成する。なお、復号した映像データは、各時刻における映像（フレーム画像）を形成する信号値を示すデータである。映像復号部１０６は、復号した映像データを画像変換部１０７に出力する。
【００５９】
画像変換部１０７は、制御部１１０が出力した画像制御指示に応じて、映像データの解像度を変換しない処理、映像データをｄｏｔ  ｂｙ  ｄｏｔで表示するように変換する処理、映像データの解像度を変換する処理、または映像データを非表示状態に変換する処理のうち、いずれか１つの処理を行う。なお、画像制御指示には、映像データの解像度を変換しない指示、映像データをｄｏｔ  ｂｙ  ｄｏｔで表示するように変換する指示、映像データの解像度を表示部１０９の解像度にアップコンバートして変換する指示、映像データの解像度を表示部１０９の解像度にダウンコンバートして変換する指示、または映像データを非表示状態に変換する指示のうち、いずれか１つの指示が含まれている。画像変換部１０７は、変換した／または変換していない映像データを画像合成部１０８に出力する。
【００６０】
画像合成部１０８は、制御部１１０がコーションメッセージを出力した場合、画像変換部１０７が出力した映像データに、入力されたコーションメッセージの画像を合成し、合成した映像データを表示部１０９に出力する。画像合成部１０８は、制御部１１０がコーションメッセージを出力していない場合、画像変換部１０７が出力した映像データを表示部１０９に出力する。
【００６１】
表示部１０９は、画像合成部１０８が出力した映像データに基づく映像を表示する。表示部１０９は、ディスプレイ、例えば、液晶ディスプレイ、有機ＥＬ（Ｅｌｅｃｔｒｏ  Ｌｕｍｉｎｅｓｃｅｎｃｅ）ディスプレイ、等を含んで構成される。
【００６２】
制御部１１０は、指示検出部１１１、解像度検出部１１２、表示解像度取得部１１３、比較部１１４、及び動作決定部１１５を備える。
指示検出部１１１は、分離部１０３が出力したＭＭＴ−ＳＩから事業者が設定する記述子のうち、解像度制御（Ｒｅｓｏｌｕｔｉｏｎ＿ｃｏｎｔｒｏｌ（））記述子を抽出する。指示検出部１１１は、抽出した解像度制御記述子にパラメータ設定されているターゲット解像度（ｔａｒｇｅｔ＿ｒｅｓｏｌｕｔｉｏｎ）を検出する。また、指示検出部１１１は、ターゲット解像度毎に設定されているターゲット動作（ｔａｒｇｅｔ＿ａｃｔｉｏｎ）を検出する。指示検出部１１１は、検出したターゲット解像度を示す情報毎に、ターゲット動作を示す情報を動作決定部１１５に出力する。なお、ターゲット解像度を示す情報は、図８に示したターゲット解像度の値（０ｘ００〜０ｘ４０）であってもよく、またはターゲット解像度の値に対応する意味（例えば、Ｒ＞４等）を示す情報であってもよい。また、ターゲット動作を示す情報は、図９に示したターゲット動作の値（０ｘ００〜０ｘ０３）であってもよく、またはターゲット解像度の値に対応する意味（例えば、全画面表示等）を示す情報であってもよい。
【００６３】
解像度検出部１１２は、分離部１０３が出力したＭＭＴ−ＳＩから映像コンポーネント記述子を抽出する。解像度検出部１１２は、抽出した映像コンポーネント記述子にパラメータ設定されている映像信号解像度を検出し、検出した映像信号解像度を、放送解像度を示す情報として比較部１１４に出力する。
【００６４】
表示解像度取得部１１３は、表示部１０９によって表示可能な解像度を取得する。なお、表示部１０９によって表示可能な解像度は、予め記憶部１２０に記憶されていてもよい。記憶部１２０に表示可能な解像度が予め記憶されている場合、表示解像度取得部１１３は、表示可能な解像度を記憶部１２０から読み出して取得する。表示解像度取得部１１３は、取得した解像度を示す情報を、表示解像度を示す情報として比較部１１４に出力する。
【００６５】
比較部１１４は、解像度検出部１１２が出力した放送解像度を示す情報と、表示解像度取得部１１３が出力した表示解像度を示す情報とを取得する。比較部１１４は、取得した情報に基づいて、放送解像度と表示解像度とを比較し、比較した比較結果を動作決定部１１５に出力する。比較部１１４は、例えば、表示解像度を放送解像度で除算して、除算した値Ｒを動作決定部１１５に出力する。
【００６６】
動作決定部１１５には、指示検出部１１１が出力したターゲット解像度を示す情報毎に設定されているターゲット動作を示す情報と、比較部１１４が出力した比較結果とが入力される。動作決定部１１５は、ターゲット解像度の値に対応付けられている複数の範囲の中から、比較結果が該当する範囲を判別する。動作決定部１１５は、判別したターゲット解像度に対応して記述されているターゲット動作を抽出し、抽出したターゲット動作を表示部１０９に表示させる動作に設定する。動作決定部１１５は、設定したターゲット動作を示す情報に基づいて画像制御指示を生成し、生成した画像制御指示を画像変換部１０７に出力する。また、動作決定部１１５は、設定したターゲット動作を示す情報がコーションメッセージを表示させる動作の場合、ターゲット動作を示す情報に基づいてコーションメッセージを生成し、生成したコーションメッセージを示す情報を画像合成部１０８に出力する。
【００６７】
記憶部１２０は、コーションメッセージ、図６に示した映像信号解像度の値と意味とを対応付けた情報、図８に示したターゲット解像度の値と意味とを対応付けた情報、図９に示したターゲット動作の値と意味とを対応付けた情報等の各種のデータを記憶する。記憶部１２０は、記憶媒体、例えば、ＨＤＤ（Ｈａｒｄ  Ｄｉｓｋ  Ｄｒｉｖｅ）、フラッシュメモリ、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。なお、記憶部１２０は、表示部１０９の解像度を示す情報が記憶されていてもよい。
【００６８】
操作部１３０は、例えば、操作ボタン、リモートコントローラ、携帯端末装置等の電子機器から操作信号を受信する入力インタフェース、等である。操作部１３０は、利用者によって操作された操作結果を検出し、検出した操作結果を制御部１１０に出力する。
【００６９】
（表示処理、報知処理の説明）
次に、本実施形態に係る表示処理と報知処理とについて説明する。
図１５は、本実施形態に係る表示処理と報知処理の手順を示すフローチャートである。なお、図１５に示す例では、利用者によって放送衛星３０を介して放送番組のチャンネルが選択された後の処理を説明する。また、以下の処理において、個別契約が必要な放送波の場合、個別契約がなされているものとする。
【００７０】
（ステップＳ１）放送受信部１０１は、送信装置２０が送信した放送波のうち、制御部１１０が出力した放送チャンネル信号で指定される放送チャンネルの放送波を受信する。
（ステップＳ２）表示解像度取得部１１３は、表示部１０９によって表示可能な解像度を取得する。
【００７１】
（ステップＳ３）解像度検出部１１２は、分離部１０３が出力したＭＭＴ−ＳＩから映像コンポーネント記述子を抽出する。続けて、指示検出部１１１は、抽出した映像コンポーネント記述子にパラメータ設定されている映像信号解像度の値を抽出する。続けて、解像度検出部１１２は、抽出した映像信号解像度の値と対応付けられて記憶部１２０に記憶されている意味を示す情報に基づいて、放送解像度を検出する。
（ステップＳ４）指示検出部１１１は、分離部１０３が出力したＭＭＴ−ＳＩから事業者が設定する記述子のうち、解像度制御記述子を抽出する。続けて、指示検出部１１１は、抽出した解像度制御記述子にパラメータ設定されているターゲット解像度の値と、ターゲット解像度毎に設定されているターゲット動作の値を検出する。
【００７２】
（ステップＳ５）比較部１１４は、表示解像度と放送解像度とを比較する。
（ステップＳ６）比較部１１４は、表示解像度と放送解像度とが一致するか否かを判別する。比較部１１４は、表示解像度と放送解像度とが一致すると判別した場合（ステップＳ６；ＹＥＳ）、ステップＳ７に処理を進め、表示解像度と放送解像度とが一致していないと判別した場合（ステップＳ６；ＮＯ）、ステップＳ８に処理を進める。
【００７３】
（ステップＳ７）動作決定部１１５は、比較部１１４が出力した比較結果に応じて、映像データを表示部１０９に通常表示させる。なお、通常表示とは、映像データの解像度を変換せず、コーションメッセージを重ねて表示させない表示である。動作決定部１１５は、処理を終了する。
【００７４】
（ステップＳ８）動作決定部１１５は、比較部１１４が出力した比較結果に応じた表示方法によって、映像データを表示部１０９に表示させる。なお、比較結果に応じた表示とは、全画面表示、ｄｏｔ  ｂｙ  ｄｏｔ表示、コーションメッセージ＋全画面映像表示、またはコーションメッセージのみ表示のいずれか１つの表示方法である。動作決定部１１５は、処理を終了する。
【００７５】
次に、図１５に示したフローチャートの変形例を説明する。
図１６は、本実施形態に係るターゲット解像度が図８に示す情報であり、ターゲット動作が図９に示す情報である場合の表示処理と報知処理の手順を示すフローチャートである。なお、図１６に示す処理は、図１５に示したステップＳ４の処理の後、ステップＳ５〜Ｓ８の代わりに行われる。
【００７６】
（ステップＳ１０１）比較部１１４は、表示解像度を放送解像度で除算して、除算した値Ｒを算出する。
（ステップＳ１０２）指示検出部１１１は、抽出したターゲット解像度の値と対応付けられて記憶部１２０に記憶されている意味を示す情報に基づいて、値Ｒの範囲をターゲット解像度毎に検出する。続けて、指示検出部１１１は、抽出したターゲット動作の値と対応付けられて記憶部１２０に記憶されている意味を示す情報に基づいて、表示部１０９に表示させる動作（ターゲット動作）を検出する。続けて、動作決定部１１５は、複数のＲの範囲の中から、ステップＳ１０１で算出した値Ｒが該当するＲの範囲を判定する。動作決定部１１５は、値Ｒが４より大きいと判別した場合（ステップＳ１０２；Ｒ＞４）、処理をステップＳ１０３に進める。動作決定部１１５は、値Ｒが２より大きく且つ４以下であると判別した場合（ステップＳ１０２；４≧Ｒ＞２）、処理をステップＳ１０４に進める。動作決定部１１５は、値Ｒが０．５より大きく且つ２以下であると判別した場合（ステップＳ１０２；２≧Ｒ＞０．５）、処理をステップＳ１０５に進める。動作決定部１１５は、値Ｒが０．２５より大きく且つ０．５以下であると判別した場合（ステップＳ１０２；０．５≧Ｒ＞０．２５）、処理をステップＳ１０６に進める。動作決定部１１５は、値Ｒが０．２５以下であると判別した場合（ステップＳ１０２；０．２５≧Ｒ）、処理をステップＳ１０７に進める。
【００７７】
（ステップＳ１０３）動作決定部１１５は、ターゲット解像度の値が０ｘ４０に対応付けられているターゲット動作を、表示部１０９に表示させる動作に決定し、決定したターゲット動作に基づいて画像制御指示を生成する。動作決定部１１５は、ステップＳ１０８に処理を進める。
（ステップＳ１０４）動作決定部１１５は、ターゲット解像度の値が０ｘ２０に対応付けられているターゲット動作を、表示部１０９に表示させる動作に決定し、決定したターゲット動作に基づいて画像制御指示を生成する。動作決定部１１５は、ステップＳ１０８に処理を進める。
（ステップＳ１０５）動作決定部１１５は、ターゲット解像度の値が０ｘ１０に対応付けられているターゲット動作を、表示部１０９に表示させる動作に決定し、決定したターゲット動作に基づいて画像制御指示を生成する。動作決定部１１５は、ステップＳ１０８に処理を進める。
【００７８】
（ステップＳ１０６）動作決定部１１５は、ターゲット解像度の値が０ｘ０８に対応付けられているターゲット動作を、表示部１０９に表示させる動作に決定し、決定したターゲット動作に基づいて画像制御指示を生成する。動作決定部１１５は、ステップＳ１０８に処理を進める。
（ステップＳ１０７）動作決定部１１５は、ターゲット解像度の値が０ｘ０４に対応付けられているターゲット動作を、表示部１０９に表示させる動作に決定し、決定したターゲット動作に基づいて画像制御指示を生成する。動作決定部１１５は、ステップＳ１０８に処理を進める。
【００７９】
（ステップＳ１０８）画像変換部１０７は、制御部１１０が出力した画像制御指示に応じて、映像データの解像度を変換しない、映像データをｄｏｔ  ｂｙ  ｄｏｔで表示するように変換、映像データの解像度を変換、または映像データを非表示状態に変換のうち、いずれか１つの処理を行う。続けて、画像合成部１０８は、制御部１１０がコーションメッセージを出力した場合、画像変換部１０７が出力した映像データに、入力されたコーションメッセージの画像を合成し、合成した映像データを表示部１０９に表示させる。画像合成部１０８は、制御部１１０がコーションメッセージを出力していない場合、画像変換部１０７が出力した映像データを表示部１０９に表示させる。
以上で、表示処理と報知処理を終了する。
【００８０】
以上のように、本実施形態の受信装置１０は、放送を受信する受信部（放送受信部１０１）と、表示部１０９と、受信部が受信した放送から放送解像度（映像信号解像度）を検出する解像度検出部１１２と、表示可能な表示解像度と放送解像度とに基づく表示制御指示を、受信部が受信した放送から検出する指示検出部１１１と、表示部の表示解像度と放送解像度とを比較し、比較した結果と指示検出部によって検出された表示制御指示とに基づいて、受信した映像の表示を制御して表示部に表示させる動作決定部１１５と、を備える。
【００８１】
この構成によって、本実施形態の受信装置１０は、放送解像度と受信装置１０の解像度とに基づいて、放送事業者が受信装置１０に対する表示に関する指示（例えば、解像度制御（Ｒｅｓｏｌｕｔｉｏｎ＿ｃｏｎｔｒｏｌ）記述子）に記述した情報を、受信装置１０が受信する。続けて、受信装置１０は、放送波に含まれている放送解像度と、表示部１０９に表示可能な表示解像度と、を比較し、比較した結果が、放送波に含まれているターゲット解像度のいずれかであるかを判別する。そして、受信装置１０は、判別したターゲット解像度に対応付けられているターゲット動作に決定し、決定したターゲット動作に応じて、映像データを表示部１０９に表示させる。この結果、受信装置１０は、放送波に含まれている記述に基づいて、放送解像度より表示解像度が低いため、コンテンツ本来の魅力を損ねた状態で視聴していることをコーションメッセージによって報知することができる。従って、放送事業者は、放送解像度より表示解像度が低い受信装置に対してコンテンツ本来の魅力を損ねた状態で視聴していることを示すこと受信装置に指示することができる。さらに本実施形態によれば、受信装置１０は、放送解像度と表示解像度が同一の場合、コンテンツを損ねることなく視聴可能となる。
【００８２】
また、個別契約が必要な場合の放送を受信する場合、従来は、受信装置は、チェンネル毎、または番組毎にＥＭＭを用いて映像データのスクランブルを解除して、表示部に表示していた。すなわち、放送波に含まれていた放送事業者からの指示は、単に表示を許可するか許可しないかのみであった。
一方、本実施形態によれば、表示部１０９に表示させる複数の指示が放送波に含まれているため、受信装置１０は、複数の指示に応じた表示を行うことができる。
さらに、本実施形態によれば、有料放送のように個別契約を必要とせず、放送解像度と異なる表示解像度の受信装置１０に対して、放送事業者が制御することが可能となる。この結果、受信装置１０は、個別契約なしで、放送事業者の制御（指示）に応じて、映像データを表示部１０９に表示させることができる。
【００８３】
また、本実施形態の受信装置１０において、表示制御指示は、制御対象となる表示解像度に対する記述（ターゲット解像度；Ｔａｒｇｅｔ＿ｒｅｓｏｌｕｔｉｏｎ）と、映像の表示に対する制御内容に関する記述（ターゲット動作；Ｔａｒｇｅｔ＿ａｃｔｉｏｎ）と、を含む。
また、本実施形態の受信装置１０において、表示制御指示は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）規格において放送事業者が設定可能なメッセージ、テーブル、または記述子に記述されている。
また、本実施形態の受信装置１０において、ＡＲＩＢ規格は、ＡＲＩＢ  ＳＴＤ−６０規格である。
【００８４】
この構成によって、本実施形態の受信装置１０は、放送事業者が放送波に記述した情報に従って、放送解像度と表示解像度が同一の場合、コンテンツを損ねることなく視聴可能となり、放送解像度より表示解像度が低い場合、コンテンツ本来の魅力を損ねた状態で視聴していることを報知することができる。
【００８５】
また、本実施形態の受信装置１０において、制御対象となる表示解像度に対する記述（ターゲット解像度；Ｔａｒｇｅｔ＿ｒｅｓｏｌｕｔｉｏｎ）は、表示解像度と放送解像度との比に応じた記述であり、比の所定の範囲毎に、映像の表示に対する制御内容に関する記述が対応付けられている。
この構成によって、本実施形態の受信装置１０は、放送事業者が放送波に記述した表示解像度と放送解像度との比に応じて、表示部１０９に映像データを表示するように制御することができる。
【００８６】
また、本実施形態の受信装置１０において、映像の表示に対する制御内容に関する記述（ターゲット動作；Ｔａｒｇｅｔ＿ａｃｔｉｏｎ）には、映像の表示方法、または報知方法（例えばコーションメッセージの報知方法）のうち少なくとも１つが記述されている。
この構成によって、本実施形態の受信装置１０は、放送事業者が放送波に記述した表示解像度と放送解像度との比に応じて、表示部１０９に映像データ、またはコーションメッセージのうち、少なくとも１つを表示することができる。
【００８７】
なお、図１２及び図１３に示した例では、コーションメッセージを表示部１０９上に画像として表示させる例を説明したが、これに限られない。コーションメッセージは、音声信号による報知であってもよく、または画像と音声信号との両方であってもよい。
【００８８】
また、上述した例では、受信装置１０の例として表示部１０９を備えるテレビの例を説明したが、これに限られない。受信装置１０は、表示部１０９を備えない、例えば記録再生装置（不図示）であってもよい。この場合、図７〜図９に示した記述子の情報は、例えば本実施形態の受信装置１０の主要な機能を備える記録再生装置（不図示）によって媒体に録画されるときにも一緒に記録されるようにしてもよい。そして、記録再生装置は、受信装置１０の表示解像度を、接続されているケーブル経由で取得し、取得した受信装置１０の表示解像度と録画されている映像信号の放送解像度、ターゲット解像度、及びターゲット動作に基づいて、受信装置１０に出力する画像を制御するようにしてもよい。
【００８９】
また、本実施形態で例として示した多重化データに含まれる映像データの解像度、及び表示部１０９で表示可能な解像度の値は一例であり、この値に限られない。各解像度の値は、例えば各国が採用する規格に応じた値であってもよい。
【００９０】
また、本実施形態では、例えば放送衛星３０から受信した多重化データに含まれる映像データの解像度が１種類の例を説明したが、これに限られない。例えば、２０１４年９月９に総務省が発表したロードマップ（参考文献１参照）に示されているように、実験放送では、放送衛星３０から４Ｋと８Ｋ放送とが１つのチャンネルで時分割によって放送される場合もある。このように、複数種類の解像度が１つのチャンネルで時分割によって放送される場合、制御部１１０は、ＭＨ−イベント情報テーブルの記述子領域（ｄｅｓｃｒｉｐｔｏｒ（））に記述されている情報と、表示可能解像度情報とに基づいて、表示部１０９で表示可能な解像度の映像データを抽出して、抽出した映像データに基づいて表示部１０９に画像を表示するようにしてもよい。この場合、制御部１１０は、受信した放送に８Ｋ放送も含まれているが、含まれている８Ｋ放送を表示部１０９で表示できないことを示す文字情報の画像を４Ｋ放送の画像に重ねて合成し、合成した画像を表示部１０９に表示させるようにしてもよい。
【００９１】
（参考文献１）「４Ｋ・８Ｋロードマップに関するフォローアップ会合  中間報告  概要」、［ｏｎｌｉｎｅ］、総務省、［平成２６年１１月２２日検索］、＜URL:http://www.soumu.go.jp/main_content/000312824.pdf＞
【００９２】
上述した実施形態では、各種のデータを伝送するための伝送方式として、ＭＰＥＧ−Ｈで規定されたＭＭＴ（ＭＰＥＧ  Ｍｅｄｉａ  Ｔｒａｎｓｐｏｒｔ）によるメディアトランスポート方式が用いる場合を例にしたが、その他の伝送方式、例えば、ＭＰＥＧ−２  
Ｓｙｓｔｅｍｓで規定された方式が用いられてもよい。また、伝送に係るデータ形式、暗号化方式、符号化方式も、その伝送方式で規定された形式または方式が用いられてもよい。
【００９３】
また、上述した実施形態における受信装置１０の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００９４】
１…デジタル放送システム、１０…受信装置、２０…送信装置、３０…放送衛星、１０１…放送受信部、１０２…復調部、１０３…分離部、１０４…音声復号部、１０５…音声再生部、１０６…映像復号部、１０７…画像変換部、１０８…画像合成部、１０９…表示部、１１０…制御部、１１１…指示検出部、１１２…解像度検出部、１１３…表示解像度取得部、１１４…比較部、１１５…動作決定部、１２０…記憶部、１３０…操作部、２０１…番組データ生成部、２０２…構成情報生成部、２０３…多重化部、２０４…暗号化部、２０５…送信部
【図１】
0006407063.tif 000002
【図２】
0006407063.tif 000003
【図３】
0006407063.tif 000004
【図４】
0006407063.tif 000005
【図５】
0006407063.tif 000006
【図６】
0006407063.tif 000007
【図７】
0006407063.tif 000008
【図８】
0006407063.tif 000009
【図９】
0006407063.tif 000010
【図１０】
0006407063.tif 000011
【図１１】
0006407063.tif 000012
【図１２】
0006407063.tif 000013
【図１３】
0006407063.tif 000014
【図１４】
0006407063.tif 000015
【図１５】
0006407063.tif 000016
【図１６】
0006407063.tif 000017